(57)【特許請求の範囲】
【請求項１】
上面を開口させた物品収納部を少なくともその一部に有して略方形の平面形状を呈してなるケース本体と、該ケース本体にあって相互に対向する一側板部と他側板部との側に回動自在に支持されて前記上面への施蓋を可能に配設される上蓋とで構成され、
上下に２分割されて組み合わされる前記ケース本体は、垂直溝部と水平溝部とからなり、その始端と終端とが閉止端となって前記上蓋をその内側面が該ケース本体における底板部の外側面と対面する位置に至るまで回り込み移動させるガイド溝を、組合せ境界位置にある前記一側板部と前記他側板部とのそれぞれの外側面に備え、
前記上蓋は、その施蓋時に前記ケース本体側と当接する周側板部を備え、該周側板部に設けた一対の支腕部がその内側に各別に備える軸状部を介して対応する前記ガイド溝に沿っての移動と、前記軸状部が前記垂直溝部と前記水平溝部との略境界領域にあるときに前記支腕部側をケーシング載置面に当接支持させてその位置状態の維持とを自在にして前記ケース本体に取り付けたことを特徴とするケーシング構造。
【請求項２】
前記ケース本体は、前記上蓋が回り込み移動を終える際に前記軸状部が乗り越えるべき小突起を前記ガイド溝に設けるとともに、前記上蓋がその回り込み移動を終えて完全に敷き込まれた際に先端側に位置する端部との係合が自在な係止部を前記底板部に配設して形成した請求項１に記載のケーシング構造。
【請求項３】
ケース本体が備える前記小突起と前記係止部とを介することで、前記上蓋が前記ケース本体に完全に敷き込まれた際に前記上蓋との間でクリック音の生成を可能とした請求項２に記載のケーシング構造。
【請求項４】
前記ケース本体は、前記物品収納部を除く領域に前記上面から突出させた抓み部を有するロータリースイッチを備えて電気的な特性の測定が自在に一体形成された測定器を少なくとも含み、
前記上蓋には、あらかじめ定められている所定位置に前記抓み部がある限り当接が回避される凹陥部をその内側面に具備させた請求項１ないし３のいずれかに記載のケーシング構造。
【発明の詳細な説明】
【０００１】
【発明の属する技術分野】
本発明は、例えば測定器がプローブの収納を可能に一体形成されているケース本体などのように個々の用途に応じて所要の構造を備えているケース本体に対し、上蓋を開蓋時における仕舞い勝手をよくした簡素な構造を付与して取り付けてなるケーシング構造に関する技術である。
【０００２】
【従来の技術】
各種の物品を損傷させたり散逸させることなく安全に収納できるようにしたケーシング構造は、従来より種々のものが既に提案されてきている。
【０００３】
このようなケーシング構造を電気的な特性を測定するための測定器との関連で説明すれば、プローブ収納部を有していない上蓋が付設されているケース内に測定器を収納する第１の従来タイプと、測定器と一体化されたケース本体とプローブ収納部を有していない上蓋とがダブルヒンジ構造のもとで着脱自在に形成されている第２の従来タイプと、測定器と一体に形成されたケース本体に対しプローブ収納部を有する上蓋が着脱自在に取り付けられる第３の従来タイプなどがある。
【０００４】
この場合、第１の従来タイプによれば、測定器がケースと別体であることから、ケースの大きさにとらわれることなく小型化できる利点があり、第２と第３の従来タイプによれば、上蓋を取り外すことができる利点があった。
【０００５】
このうち、第３の従来タイプのケーシング構造は、プローブを収納できる点で本発明と共通しており、例えば図６に示すように測定器２と一体に形成されたケース本体１に対しプローブ収納部４を有する上蓋３が着脱自在に取り付けられてその全体が形成されている。
【０００６】
【発明が解決しようとする課題】
しかし、図６に示すケーシング構造による場合には、上蓋３の内側面を利用してプローブ収納部４を形成していることから、プローブ５のコード６を常にベルト７で固定しておかなければならず、仕舞い勝手が悪いという不都合があった。
【０００７】
また、上蓋３は、ケース本体１から取り外すことができるものの、ケース本体１とは別体の存在として測定作業中に傍らに置いておかなければならず、作業を妨げる不具合もあった。
【０００８】
さらに、上蓋３は、ケース本体１とは異なる軟質材料を用いて形成する必要があるほか、構造も比較的複雑なものとなり、それだけ製品コストを引き上げる難点もあった。
【０００９】
本発明は、従来からあるケーシング構造に鑑み、上蓋を開けた際に好ましい仕舞い勝手が得られるほか、プローブなどの各種物品も容易に収納でき、かつ、その構造も簡素化させてコスト低減に有効に寄与させることができる汎用性に富むケーシング構造を提供することを目的とする。
【００１０】
【課題を解決するための手段】
本発明は、上記目的を達成すべくなされたものであり、上面を開口させた物品収納部を少なくともその一部に有して略方形の平面形状を呈してなるケース本体と、該ケース本体にあって相互に対向する一側板部と他側板部との側に回動自在に支持されて前記上面への施蓋を可能に配設される上蓋とで構成され、上下に２分割されて組み合わされる前記ケース本体は、垂直溝部と水平溝部とからなり、その始端と終端とが閉止端となって前記上蓋をその内側面が該ケース本体における底板部の外側面と対面する位置に至るまで回り込み移動させるガイド溝を、組合せ境界位置にある前記一側板部と前記他側板部とのそれぞれの外側面に備え、前記上蓋は、その施蓋時に前記ケース本体側と当接する周側板部を備え、該周側板部に設けた一対の支腕部がその内側に各別に備える軸状部を介して対応する前記ガイド溝に沿っての移動と、前記軸状部が前記垂直溝部と前記水平溝部との略境界領域にあるときに前記支腕部側をケーシング載置面に当接支持させてその位置状態の維持とを自在にして前記ケース本体に取り付けたことに構成上の特徴がある。
【００１１】
この場合、前記ケース本体は、前記上蓋が回り込み移動を終える際に前記軸状部が乗り越えるべき小突起を前記ガイド溝に設けるとともに、前記上蓋がその回り込み移動を終えて完全に敷き込まれた際に先端側に位置する端部との係合が自在な係止部を前記底板部に配設して形成するのが好ましい。しかも、この際、  ケース本体が備える前記小突起と前記係止部とを介することで、前記上蓋が前記ケース本体に完全に敷き込まれた際に前記上蓋との間でクリック音が生成できるようにしておくのが望ましい。
【００１２】
さらに、前記ケース本体は、前記物品収納部を除く領域に前記上面から突出させた抓み部を有するロータリースイッチを備えて電気的な特性の測定が自在に一体形成された測定器を少なくとも含み、前記上蓋には、あらかじめ定められている所定位置に前記抓み部がある限り当接が回避される凹陥部をその内側面に具備させて形成することもできる。
【００１３】
【発明の実施の形態】
図１ないし図４は、本発明に係るケーシング構造を電気的な特性を測定するための測定器に適用した際の一例を示す説明図であり、そのうち、図１は完全開蓋時における全体斜視図を、図２は図１における要部拡大図を、図３は完全閉蓋時における全体斜視図を、図４は中途開蓋状態での全体斜視図をそれぞれ示す。
【００１４】
これらの図によれば、その全体は、例えば絶縁性のある同じ合成樹脂材を用いるなどして形成された適宜大きさの略方形の平面形状を呈してなるケース本体１１と、該ケース本体１１の上面１２側への施蓋が可能な上蓋４１とで構成されている。
【００１５】
このうち、上下に２分割されて組み合わされるケース本体１１は、略方形を呈する底板部１３の略前半部を占める領域側に一体となって配設された測定器２２と、該測定器２２の左右の側面２３と一体となって底板部１３の残余の側縁上に立設された周壁部３２とで形成されている。
【００１６】
このため、ケース本体１１には、底板部１３と測定器２２と周壁部３２とで区画形成されてその上面を開口させた物品収納部３３が、測定器２２の後方領域に形成されることになる。
【００１７】
この場合、測定器２２には、ＬＣＤなどからなる表示部２４と各種の操作ボタン２５とが上面１２の面高と略同高となった配置関係のもとで配設されているほか、上面１２からその面方向に直線状となって突出する抓み部２７を備えるロータリースイッチ２６などが配設されている。なお、図３中の符号２９は、測定器２２にあって物品収納部３３と直面する部位に段差を介在させて形成された平坦部２８に設けられた例えば２個の差込み部を示すものであり、該差し込み部２９に略Ｌ字形を呈するプラグ６２を差し込むことにより、該プラグ６２と結線されているプローブ６１を用いて適宜の測定ができるようになっている。
【００１８】
また、ケース本体１１には、底板部１２の側縁上に測定器２２の側面２３と周壁部３２とで囲壁面１４が形成される結果、図示例において左右に位置して相互に対向する一側板部１５と他側板部１６とが確保されることになる。しかも、ケース本体１１の囲壁面１４には、上蓋４１をその施蓋時に下支えするための当接部１４ａがその上部側に段差を介在させて周設されている。
【００１９】
さらに、上下に２分割されて組み合わされるケース本体１１の組合せ境界位置にある一側板部１５と他側板部１６との外側面には、上蓋４１をその内側面４３がケース本体１１における底板部１３の外側面（外底面）と対面する位置に至るまで回り込み移動させることができるガイド溝１７が、図１〜図４からも明らかなようにその始端と終端とを閉止端とすることで各別に形成されている。
【００２０】
これを図１に示す他側板部１６について説明すれば、ガイド溝１７は、他側板部１６の奥端１６ａ側に凹設された垂直溝部１７ａと、該垂直溝部１７ａの下端側から前端１６ｂ側に向けてその近傍位置にまで凹設された水平溝部１７ｂとを相互に連通させることにより形成されている。なお、図示は省略してあるが、一側板部１５の側にも同じ位置関係のもとでガイド溝が形成されている。
【００２１】
一方、上蓋４１は、ケース本体１１にあって相互に対向している一側板部１５と他側板部１６との側に回動自在に支持されて上面１２への施蓋を可能に形成されている。
【００２２】
すなわち、上蓋４１は、ケース本体１１の上面１２を十分に覆うに足りる面積を有する天板部４２と、該天板部４２の周縁部４３から垂設されてケース本体１１の囲壁面１４に設けられた当接部１４ａとその施蓋時に当接する周側板部４７とを備えている。
【００２３】
また、周側板部４７は、左右両側の後方部位をそれぞれやや外方へと張り出させてなる一対の支腕部４８，４８を備えており、これら各支腕部４８の内側面には、一側板部１５のガイド溝部と他側板部１６のガイド溝１７のそれぞれに回り込み移動が可能となって摺接する軸状部５０が相互に向き合う配置関係のもとで突設されている。
【００２４】
この場合、上蓋４１が図４に示すように開蓋途上にあるとき、支腕部４８を介してその状態を維持し得るように該支腕部４８に対し特定形状が付与されて形成されている。
【００２５】
図５は、図４における一点鎖線での囲繞部位についての部分拡大図である。同図によれば、支腕部４８は、軸状部５０に向かって先細りとなる略三角形状を呈する先端部４９を備えて形成されている。しかも、該先端部４９と軸状部５０とは、該軸状部５０がガイド溝１７における垂直溝部１７ａと水平溝部１７ｂとの略境界領域にあるときケーシング載置面６５にその当接部４９ａが当接する配置関係となって形成されている。なお、図５中の２カ所に示されている小黒点は、その際の上蓋４１側の支点位置を示す。
【００２６】
さらに、上蓋４１は、ロータリースイッチ２６の抓み部２７が例えばＯＦＦの状態となってその長さ方向が左右に位置するなど、あらかじめ定められている所定位置にある限りその施蓋時に抓み部２７との当接が回避される凹陥部４５を天板部４２の内側面４４に設けて形成されている。
【００２７】
さらにまた、支腕部４８が位置する側の天板部４２の内側面４４には、ケース本体１１に対する上蓋４１側の回り込み移動を円滑化し、かつ、物品収納部３３の容積を増加させることができる凹陥部４６が形成されている。
【００２８】
しかも、ケース本体１１と上蓋４１とは、該上蓋４１をその内側面４４がケース本体１１における底板部１３の外側面（外底面）と対面する位置に至るまでの回り込み移動を完了した完全開蓋時にクリック音を生成できるようにして形成されている。
【００２９】
すなわち、ケース本体１１は、一側板部１５にあって図示しない水平溝部を区画している下側面にその長さ方向と直交させた小突起を、他側板部１６にあって図２に詳しく示されているように水平溝部１７ｂを区画している下側面１９にその長さ方向と直交させた小突起１８をそれぞれ備えている。
【００３０】
しかも、一側板部１５の図示しない小突起と他側板部１６の小突起１８とは、上蓋４１が回り込み移動を終える際に軸状部５０が乗り越えるべき所定位置に形成されている。
【００３１】
さらに、ケース本体１１の底板部１３には、上蓋４１がその回り込み移動を終えて完全に敷き込まれた際（完全開蓋時）に先端側に位置することになる周側板部４７の端部４７ａとの係合が自在な係止部２０がその前端１３ａ側の左右に各別に配設されている。
【００３２】
また、図３に示す完全施蓋時にその施蓋状態を確実なものとするために、ケース本体１１の前面側には掛止用突起２１が、上蓋４１の前面側には掛止用爪片５２がそれぞれ配設されている。
【００３３】
次に上記構成からなる本発明につき、図示例を参酌しながらその作用・効果を以下に説明する。
【００３４】
すなわち、掛止用突起２１と掛止用爪片５２とが掛合している図３に示す完全施蓋時にあっては、上蓋４１の凹陥部４５を介してロータリースイッチ２６の抓み部２７が所定位置に位置決めされた状態のもとで施蓋されることになる。
【００３５】
また、この場合、抓み部２７は、所定位置からややずれた位置にあっても施蓋時に上蓋４１の凹陥部４５側と当接して自動的に位置修正され、所定位置へと強制的に位置決めさせた上で施蓋することができる。
【００３６】
さらに、抓み部２７が所定位置から大きく外れている場合には、抓み部２７に上蓋４１が当接して施蓋することができないので、ロータリースイッチ２６が例えばＯＦＦ状態となっていないなど、測定作業者に対しロータリースイッチ２６の位置につき再確認を促すことができる。
【００３７】
しかも、プローブ７１は、プラグ６２側を差し込み部２９に差し込んだ状態のもとで物品収納部３３内に収納しておくことができるので、開蓋と同時に測定作業に入ることができる。
【００３８】
掛止用突起２１と掛止用爪片５２との掛合状態を解除して上蓋４１を開蓋させた後は、軸状部５０をまずガイド溝１７の垂直溝部１７ａに沿わせて下降させながら上蓋４１の開蓋角度を次第に大きくすることができ、図４に示す状態となった際、支腕部４８の先端部４９の当接部４９がケーシング載置面６５に当接してその状態を維持させることができる。したがって、必要があれば図４に示す状態のもとで測定作業に入ることもできる。
【００３９】
一方、上蓋４１が測定作業の邪魔にならないように完全開蓋状態とする場合は、上蓋４１を水平状態となるまで開蓋した後、軸状部５０をガイド溝１７の水平溝部１７ｂに沿わせて前側へと移動させる。
【００４０】
これにより、上蓋４１は、その内側面４４がケース本体１１の底板部１３の外側面（外底面）と対面する位置関係で回り込み移動させることができる。
【００４１】
しかも、ケース本体１１と上蓋４１とは、該上蓋４１をその内側面４４がケース本体１１における底板部１３の外側面（外底面）と対面しながら小突起１８を軸状部５０が乗り越え、上蓋４１の周側板部４７の端部４７ａが各係止部２０と係合する際に相互間でクリック音が生成されるので、測定作業者は上蓋４１が完全開蓋状態となったことを容易に知ることができる。
【００４２】
また、上蓋４１は、ケース本体１１側に敷き込まれた際にがたつきのない完全開蓋状態となるので、上蓋４１の存在に邪魔されることなく測定作業を円滑に遂行することができる。
【００４３】
さらに、上蓋４１は、同じ材料からなるケース本体１１に対し軸状部５０を介して取り付けることができるので、開蓋時の上蓋４１の仕舞い勝手をよくする。また、上蓋４１は、凹陥部４５，４６によりもたらされる補強機能により堅牢化できる。さらにまた、その全体では、プローブ６１などの各種物品も容易に収納でき、かつ、その構造もヒンジなどの別物品を特に必要としない簡単なものとすることでコスト低減に有効に寄与させることができる。
【００４４】
以上は、本発明の実施形態を図示例に即して説明したものであり、その具体的な実施の形態例はこれに限定されるものではない。例えば、ケース本体は、一体形成された測定器を備えずに、上面を開口させた物品収納部を少なくともその一部に有して形成された種々の用途に供される汎用タイプのものであってもよい。また、小突起１８や係止部２０を設けずに、上蓋を単にケース本体に敷き込んで完全開蓋状態とすることもできる。さらに、ケース本体１１が図示例のように一体形成された測定器２２を備えるものであっても、例えば係止部２０を所望に応じ１カ所に設けたり３カ所以上に設けたりすることもできる。
【００４５】
以上に述べたように本発明は、詳細に記載され、かつ、図示されているが、それは単なる例示説明であり、本発明の技術的範囲をなんら制限するものではない。本発明から逸脱することなく上記実施形態に対し当業者が想到し得る様々な変形を施すことが可能である。
【００４６】
【発明の効果】
以上述べたように本発明によれば、上蓋は、その開蓋時に好ましい仕舞い勝手が得られるほか、プローブなどの各種物品も容易に収納でき、かつ、その構造も簡素化させてコスト低減に有効に寄与させることができる。また、上蓋は、その始端と終端とを閉止端としたガイド溝にその軸状部を摺接させることで、離脱を阻止してケース本体側に開蓋自在に取り付けることができる。しかも、上蓋は、軸状部がガイド溝における垂直溝部と水平溝部との略境界領域にあるときに支腕部側をケーシング載置面に当接支持させてその位置状態を維持させておくことができるので、完全開蓋状態ではない中途開蓋状態のもとでも測定作業に入ることができる。
【００４７】
特に、ケース本体が抓み部を有するロータリースイッチを備えて一体形成された測定器を少なくとも含むものであれば、施蓋時における抓み部と上蓋の凹陥部との関係でロータリースイッチが所定位置にあるか否かを容易に確認することができる。
【００４８】
また、ケース本体が小突起と係止部とを備えて形成されている場合には、上蓋がその回り込み移動を終えて完全に敷き込まれた際に相互間でクリック音を生成させることができるので、がたつきのない完全開蓋状態となったことを容易に知ることができる。
【図面の簡単な説明】
【図１】  本発明の一例を完全開蓋状態のもとで示す全体斜視図。
【図２】  図１における要部拡大斜視図。
【図３】  図１に示す例につき完全施蓋状態のもとで示す全体斜視図。
【図４】  図１に示す例につき中途開蓋状態のもとで示す全体斜視図。
【図５】  図４における一点鎖線での囲繞部位についての部分拡大図。
【図６】  従来例を開蓋状態のもとで示す全体斜視図。
【符号の説明】
１１  ケース本体
１２  上面
１３  底板部
１３ａ  前端
１４  囲壁面
１５  一側板部
１６  他側板部
１６ａ  奥端
１６ｂ  前端
１７  ガイド溝
１７ａ  垂直溝部
１７ｂ  水平溝部
１８  小突起
１９  下側面
２０  係止部
２１  掛止用突起
２２  測定器
２３  側面
２４  表示部
２５  操作ボタン
２６  ロータリースイッチ
２７  抓み部
２８  平坦部
２９  差し込み部
３２  周壁部
３３  物品収納部
４１  上蓋
４２  天板部
４３  周縁部
４４  内側面
４５，４６  凹陥部
４７  周側板部
４７ａ  端部
４８  支腕部
４９  先端部
４９ａ  当接部
５０  軸状部
５２  掛止用爪片
６１  プローブ
６２  プラグ
６３  ケーシング載置面
【図１】
0004150188.tif 000002
【図２】
0004150188.tif 000003
【図３】
0004150188.tif 000004
【図４】
0004150188.tif 000005
【図５】
0004150188.tif 000006
【図６】
0004150188.tif 000007